(57)【要約】【課題】孤立ドットの多い画像を処理する際の定着性の低下を抑制する。【解決手段】画像形成装置１００は、中間転写ベルト１１の表面からトナー像が転写された後の当該表面に残存するトナーの濃度を検出する濃度検出ユニット５０と、レーザーヘッド１５ａ１から照射される光によって定着を行う定着ユニット１５と、レーザーヘッド１５ａを制御する制御装置６０とを備える。制御装置６０は、濃度検出ユニット５０にて検出された濃度に応じて、レーザーヘッド１５ａに照射させる光の強度を調整するようになっている。【選択図】図１
2013156303.tif 000002
【特許請求の範囲】
【請求項１】
トナーからなる画像であるトナー像を表面に担持する像担持体と、
前記トナー像が転写された用紙に対して光を照射する照射部を含み、この光のエネルギーによって前記トナー像を溶融して前記用紙に定着させる定着ユニットと、
前記照射部を制御する制御部と、
前記表面から前記トナー像が転写された後の当該表面に残存するトナーの濃度を検出する残トナー濃度検出部とを備え、
前記制御部は、前記残トナー濃度検出部にて検出された濃度に応じて、前記照射部に照射させる光の強度を調整することを特徴とする画像形成装置。
【請求項２】
前記制御部は、前記残トナー濃度検出部にて検出された濃度が閾値を超える場合には前記濃度が閾値以下である場合よりも前記光の強度が高くなるように前記照射部を制御することを特徴とする請求項１に記載の画像形成装置。
【請求項３】
前記画像において隣接する位置にドットが形成されていないドットを孤立ドットとする場合、前記画像を示す画像データを参照して、前記画像における孤立ドットの多さを示す孤立ドット情報を出力する画像処理部を備え、
前記制御部は、前記残トナー濃度検出部にて検出された濃度と、前記画像処理部にて出力された孤立ドット情報とに応じて、前記照射部に照射させる光の強度を調整することを特徴とする請求項１に記載の画像形成装置。
【請求項４】
前記照射部が照射する光はレーザー光であることを特徴とする請求項１から３のいずれか１項に記載の画像形成装置。
【請求項５】
前記制御部は、前記用紙上の前記トナー像の形成領域に対して前記レーザー光が照射され、前記用紙上の前記トナー像の非形成領域において前記レーザー光が照射されない部分が生じるように、前記画像を示す画像データに基づいて、前記照射部に取り付けられているレーザー光源のオンとオフとを制御することを特徴とする請求項４に記載の画像形成装置。
【請求項６】
コンピュータを、請求項１から５のいずれか１項に記載の制御部として動作させるためのプログラム。
【発明の詳細な説明】
【技術分野】
【０００１】
本発明は、用紙に転写されたトナー像に光を照射することによって当該トナー像を用紙に熱定着させる定着装置を備えた画像形成装置に関する。
【背景技術】
【０００２】
従来、複写機、複合機、プリンタ等の電子写真方式の画像形成装置に用いられる定着装置として、熱ローラ定着方式の定着装置が多用されている。熱ローラ定着方式の定着装置は、互いに圧接されたローラ対（定着ローラおよび加圧ローラ）を備え、このローラ対の両方あるいはいずれか一方の内部に配置されたハロゲンヒータ等からなる加熱手段によりローラ対を所定の温度（定着温度）に加熱した後、未定着トナー画像が形成された記録用紙（以下、単に「用紙」と称する。）をローラ対の圧接部（定着ニップ部）に給紙し、圧接部に当該用紙を通過させることで、熱と圧力によるトナー画像の定着を行うようになっている。
【０００３】
近年、大量のプリントができる高速機のニーズが高くなってきており、且つ、環境問題に対する注目度の高さから、パルプ材料を減らした薄い印刷用紙のニーズが高くなってきている。
【０００４】
しかしながら、従来の熱ローラ定着方式の定着装置において薄紙を使用した場合、溶融したトナーが定着ローラ表面に付着した際、用紙にコシがないために定着ローラから用紙が剥離せずに巻き付き、紙詰まりを起こしてしまうという問題があった。また、高速プリントにおいても用紙が定着ローラから剥離せずに巻き付き易いという問題があった。
【０００５】
このような問題を解決するための技術として非接触定着方式が知られている。非接触定着方式とは、下記の特許文献１に示されるレーザー定着方式や下記の特許文献２に示されるフラッシュランプ定着方式のように、未定着トナーに照射する光のエネルギーによって当該未定着トナーを溶融して定着する方式を意味する。なお、レーザー定着方式とは、用紙上に形成された未定着トナー像にレーザー光を照射する方式であり、フラッシュランプ定着方式とは、フラッシュランプから放たれる閃光によってトナーを溶融および定着させる方式である。
【先行技術文献】
【特許文献】
【０００６】
【特許文献１】特許第３０１６６８５号公報
【特許文献２】特開昭５４−７９６３９号公報
【発明の概要】
【発明が解決しようとする課題】
【０００７】
非接触定着方式の定着装置によれば、トナーを定着する際に圧力により押し広げる機構になっていないため、溶融したトナーを用紙の凹凸にしっかりと入り込ませることが出来ず、用紙に対するトナーの接触面積が小さくなり、定着強度が弱くなる傾向にあった。
【０００８】
特に、隣接位置にドットが形成されていない孤立したドット（以下、孤立ドットと称す）の場合、用紙とトナーとの接触面積が小さくなることや、用紙４方に逃げる熱をカバーしにくいことから、ベタ画像に比べて定着強度が弱くなる傾向にある。そのため、孤立ドットの多い画像の場合、孤立ドットのトナーを十分に溶融して十分な定着強度を得るためには、放射する光のエネルギーを強くする必要があった。
【０００９】
これに対し、特許文献２は、１ページ分（１画面分）の画像データに応じてフラッシュランプに供給される蓄積電荷エネルギー量を制御する技術（具体的には入力画像信号の黒情報量から放射エネルギーを決定する技術）を開示している。しかしながら、特許文献２の手法によれば、孤立ドットとは無関係にエネルギー量が決められていることから、孤立ドットの多い画像を処理する場合には定着性が弱くなるという問題があった。
【００１０】
また、環境変動、計時劣化、トナー帯電量変化などが原因で転写効率が変化して転写残トナーが多くなった場合、孤立ドットが小さく（細く）なってしまって用紙とトナーとの接触面積が小さくなり、効率ドットの定着性が更に弱くなる。しかし、特許文献２の手法では、入力画像からエネルギー量を決定しているものの、実際の転写効率とは無関係にエネルギー量が決定されており、転写効率の変化に起因した孤立ドットの定着性の低下を抑制できないという問題が生じている。
【００１１】
本発明は、以上の問題に鑑みてなされたものであり、孤立ドットの多い画像を処理する場合の定着性の低下を抑制できる画像形成装置を提供することを目的とする。
【課題を解決するための手段】
【００１２】
孤立ドットの多いトナー像が像担持体から用紙へ転写される場合、孤立ドットに対する電界の回りこみに起因し、孤立ドットの周辺において転写せずに像担持体に残存するトナーが多くなる傾向にある。つまり、転写残トナーの濃度が高くなれば孤立ドットが多くなったと判断でき、転写残トナーの濃度が低くなれば孤立ドットが少なくなったと判断できる（転写残トナーの濃度と孤立ドットの数とは相関している）。
【００１３】
そこで、上記の課題を解決するために、本発明の画像形成装置は、トナーからなる画像であるトナー像を表面に担持する像担持体と、前記トナー像が転写された用紙に対して光を照射する照射部を含み、この光のエネルギーによって前記トナー像を溶融して前記用紙に定着させる定着ユニットと、前記照射部を制御する制御部と、前記表面から前記トナー像が転写された後の当該表面に残存するトナーの濃度を検出する残トナー濃度検出部とを備え、前記制御部は、前記残トナー濃度検出部にて検出された濃度に応じて、前記照射部に照射させる光の強度を調整することを特徴とする。
【００１４】
以上の構成によれば、転写残トナーと孤立ドットの数とが相関しているため、孤立ドットの数に応じてトナー像に照射する光の強度（エネルギー量）を調整でき、孤立ドットの多い画像を処理する場合に定着性が劣化することを抑制できるという効果を奏する。また、本発明の構成によれば、転写残トナー濃度に応じてトナー像に照射する光の強度を調整しているため、転写効率の変化に起因した孤立ドットの定着性の低下をも抑制できる。
【００１５】
また、本発明の画像形成装置において、前記制御部は、前記残トナー濃度検出部にて検出された濃度が閾値を超える場合には前記濃度が閾値以下である場合よりも前記光の強度が高くなるように前記照射部を制御するようになっていてもよい。
【００１６】
この構成によれば、孤立ドットの多い部分に光を照射する場合には当該光の強度を高くすることが可能になり、孤立ドットの多い部分の定着性の劣化を抑制できる。
【００１７】
また、本発明の画像形成装置は、前記画像において隣接する位置にドットが形成されていないドットを孤立ドットとする場合、前記画像を示す画像データを参照して、前記画像における孤立ドットの多さを示す孤立ドット情報を出力する画像処理部を備え、前記制御部は、前記残トナー濃度検出部にて検出された濃度と、前記画像処理部にて出力された孤立ドット情報とに応じて、前記照射部に照射させる光の強度を調整するようになっていてもよい。
【００１８】
以上の構成によれば、前記濃度のみならず、入力画像データから解析した孤立ドットの多さを示す情報に基づいて前記照射部に照射させる光の強度を調整しているため、前記照射部に照射させる光の強度を、孤立ドットの多さに適した強度により近づけることができるという効果を奏する。
【００１９】
また、本発明の画像形成装置において、前記照射部が照射する光はレーザー光であってもよいしフラッシュ光であってもよい。つまり、前記照射部はレーザー光を照射する装置であってもよく、この場合、前記定着ユニットはレーザー定着方式による定着処理を行うユニットとなる。また、前記照射部はフラッシュ光（閃光）を照射する装置であってもよく、この場合、前記定着ユニットはフラッシュランプ定着方式による定着処理を行うユニットとなる。
【００２０】
また、本発明の画像形成装置において、前記制御部は、前記用紙上の前記トナー像の形成領域に対して前記レーザー光が照射され、前記用紙上の前記トナー像の非形成領域において前記レーザー光が照射されない部分が生じるように、前記画像を示す画像データに基づいて、前記照射部に取り付けられているレーザー光源のオンとオフとを制御するようになっていてもよい。
【００２１】
これにより、前記画像において、ベタ画像領域のみならず、ドット画像領域、文字画像領域、余白領域等が混在している場合、レーザー照射が不必要な領域のうちの一部についてレーザー照射を中止できるため、消費電力の削減を行うことができるというメリットを有する。
【００２２】
また、本発明の画像形成装置の制御部は、コンピュータによって実現されてもよく、この場合には、コンピュータを上記制御部として動作させることにより、上記制御部をコンピュータにて実現させるプログラム、およびそれを記録したコンピュータ読み取り可能な記録媒体も、本発明の範疇に含まれる。
【発明の効果】
【００２３】
本発明は、孤立ドットの多い画像を処理する場合の定着性の低下を抑制できるという効果を奏する。
【図面の簡単な説明】
【００２４】
【図１】本発明の第１実施形態の画像形成装置の内部構成を示す模式図である。
【図２】図１にて示した画像形成装置が備える濃度検出ユニットの概略構成を示す模式図である。
【図３】図２に示した濃度検出ユニットおよび中間転写ベルトの上面図である。
【図４】図１にて示した定着ユニットの概略構成を示す模式図である。
【図５】図４にて示した定着ユニットに含まれるレーザーヘッドを示した模式図である。
【図６】本発明の第１実施形態における定着ユニットのレーザーヘッドの出力を制御するためのシステムの構成を示すブロック図である。
【図７】本発明の第２実施形態における定着ユニットのレーザーヘッドの出力を制御するためのシステムの構成を示すブロック図である。
【図８】図７にて示した画像処理部の処理内容を説明するための図である。
【図９】（ａ）は孤立割合の高いパターンを示す図であり、（ｂ）は孤立割合の低い（ゼロ）パターンを示す図である。
【発明を実施するための形態】
【００２５】
[第１実施形態]
図１は、本発明の第１実施形態の画像形成装置の内部構成を示す模式図である。
【００２６】
画像形成装置１００は、電子写真方式によりトナーを用いて画像を形成する印刷装置である。つまり、画像形成装置１００は、ネットワーク上の各端末装置から送信される画像データ、または、スキャナにて読み取られる画像データに基づいて、所定の用紙に対して多色又は単色の画像を形成するようになっている。
【００２７】
画像形成装置１００は、図１に示すように、光学系ユニットＥ、４組の可視像形成ユニットｐａ，ｐｂ，ｐｃ，ｐｄ、中間転写ベルト１１、２次転写ユニット１４、定着ユニット１５、内部給紙ユニット１６及び手差し給紙ユニット１７とを備えている。
【００２８】
可視画像形成ユニットｐａは、トナー像が形成される感光体ドラム１０１ａを有している。また、可視画像形成ユニットｐａには、感光体ドラム１０１ａの周囲に、現像ユニット１０２ａと、帯電ユニット１０３ａと、クリーニングユニット１０４ａと、１次転写ユニット１３ａとが配置されている。
【００２９】
帯電ユニット１０３ａは、感光体ドラム１０１ａの表面を帯電させる装置である。なお、本実施形態では、感光体ドラム１０１ａの表面を一様に、且つ、オゾンを極力発生させることなく帯電するために、帯電ローラ方式の帯電ユニット１０３ａが採用されている。
【００３０】
なお、帯電された感光体ドラム１０１は、光学系ユニットＥから照射される光によって表面に静電潜像が形成されるようになっている。
【００３１】
現像ユニット１０２ａは、感光体ドラム１０１ａの表面の静電潜像にトナーを供給してトナー像を形成する装置である。なお、現像ユニット１０２ａには、ブラック（Ｂ）のトナーが収容されている。
【００３２】
１次転写ユニット１３ａは、中間転写ベルト１１を介して感光体ドラム１０１ａの表面に対向する位置に配置されており、感光体ドラム１０１の表面のトナー像を中間転写ベルト１１に転写するためのバイアスを発生する装置である。
【００３３】
クリーニングユニット１０４ａは、１次転写後の感光体ドラム１０１の表面に残存しているトナーを回収する装置である。
【００３４】
他の３組の可視像形成ユニットｐｂ，ｐｃ，ｐｄは、可視画像形成ユニットｐａと同様の構成であり、各可視像形成ユニットの現像ユニット１０２ｂ，１０２ｃ，１０２ｄには、イエロー（Ｙ）、マゼンタ（Ｍ）、シアン（Ｃ）の各色トナーが収容されている。
【００３５】
光学系ユニットＥは、レーザー光源からの照射光を４組の感光体ドラム１０１ａ，１０１ｂ，１０１ｃ，１０１ｄに照射するように配置されている。
【００３６】
詳しくは、光学系ユニットＥは、メモリから読み出された画像データに応じてレーザー光を出射するレーザー光源、レーザー光を等角速度偏向するポリゴンミラー、等角速度で偏向されたレーザー光が感光体ドラム１０１上において等角速度で偏向されるようにレーザー光を補正するｆ−θレンズなどから構成されている。つまり、光学系ユニットＥは、帯電された感光体ドラム１０１ａ，１０１ｂ，１０１ｃ，１０１ｄを、前記画像データに応じて露光することによって、その表面に入力画像データに応じた静電潜像を形成するようになっている。なお、前記の画像データとは、スキャナにて読み取られて得られたデータ、または、ネットワークを介して外部装置（端末装置等）から転送されてきたデータを意味する。
【００３７】
中間転写ベルト１１は、可視像形成ユニットｐａ，ｐｂ，ｐｃ，ｐｄの上方に配置され、テンションローラ１１ａ，１１ｂに撓むことなく架けられているベルトである。中間転写ベルト１１は、テンションローラ１１ａ，１１ｂによって、図１に示されるＦ方向に移動するようになっている。
【００３８】
また、中間転写ベルト１１を介してテンションローラ１１ｂと対向する位置に廃トナーボックス１２が配置されている。また、中間転写ベルト１１を介してテンションローラ１１ａと対向する位置には２次転写ユニット１４および濃度検出ユニット５０が配置されている。
【００３９】
２次転写ユニット（転写装置）１４は、中間転写ベルト１１に一時的に転写されたトナー像を用紙に転写するためのバイアスを発生する装置である。
【００４０】
定着ユニット１５は、２次転写ユニット１４によって用紙に転写されたトナー像を用紙に定着させるためのものである。定着ユニット１５は、用紙上の未定着トナー像にレーザー光を照射して該未定着トナー像を溶融して用紙上に定着させるレーザーヘッド（レーザー照射手段）１５ａと、用紙を搬送する用紙搬送装置（記録媒体搬送手段）１５ｂとを備え、レーザー光によりトナー像を用紙に定着するものである。この定着ユニット１５は、２次転写ユニット１４よりも用紙搬送方向の下流側に配置されている。
【００４１】
つぎに、以上にて示した濃度検出ユニット５０の構成について図面を参照して詳細に説明する。
【００４２】
図２は、濃度検出ユニット５０を画像形成装置１００の正面側から示した模式図であり、図３は、濃度検出ユニット５０を画像形成装置１００の上部側から示した模式図である。なお、図１〜図３に示されるＡ方向は、主走査方向（感光体ドラム１０２ａの軸と平行な方向）と平行であり、且つ、画像形成装置１００の正面側から背面側へ向けた方向である。
【００４３】
濃度検出ユニット（トナー濃度検知手段）５０は、図１に示されるように、中間転写ベルト１１を介してテンションローラ１１ａに対向する位置であって、２次転写ユニット１４よりも中間転写ベルト１１の移動方向（Ｆ方向）の下流側に配置されている。
【００４４】
濃度検出ユニット５０は、図２および図３に示すように、発光素子５１、受光素子５２、受光素子５９を有している。
【００４５】
発光素子５１は、ＬＥＤ（Light Emitting Diode）である。受光素子５２、５９はフォトセンサである。また、図３に示されるように、発光素子５１の発光面と、受光素子５２、５９の各々の受光面とは、主走査方向において、中間転写ベルト１１における転写可能範囲（画像形成装置１００において形成可能な最大サイズの画像を形成する場合の転写範囲）よりも短く、前記転写可能範囲の中央部にて対向するようになっている。
【００４６】
発光素子５１は、中間転写ベルト１１に対して光を照射するようになっており、発光素子５１による光が照射される領域（以下「光照射領域」と称す）が濃度測定範囲になる。この光照射領域は、受光素子５２，５９の受光面と略同一の広さであり、且つ、図３の紙面と垂直な方向において受光素子５２の受光面と重なる位置に形成される。つまり、濃度検出ユニット５０による濃度測定範囲は、転写可能範囲の全域ではなく、転写可能範囲の全域うち、主走査方向の中央部分のみとなる。
【００４７】
図２に示すように、発光素子５１から発光された光５３は、中間転写ベルト１１上の光照射領域において転写残トナー９または中間転写ベルト１１によって反射されることになる。
【００４８】
ここで、発光素子５１と受光素子５２は、中間転写ベルト１１を反射面として正反射光学系により構成されており、中間転写ベルト１１のうち転写残トナーのない部分で反射された光５４が受光素子５２に入射するようになっている。これに対し、発光素子５１と受光素子５９は、中間転写ベルト１１を反射面として乱反射光学系により構成されており、中間転写ベルト１１の上の転写残トナー９を反射した光５８が受光素子５９に入射するようになっている。
【００４９】
そして、受光部５２は、中間転写ベルト１１上における光照射領域のうちの転写残トナーのない部分の光反射量（光反射率）に応じた信号を出力し、受光素子５９は、中間転写ベルト１１上における光照射領域のうちの転写残トナーのある部分の光反射量（光反射率）に応じた信号を出力するようになっている。
【００５０】
そして、受光部５２の出力信号と受光素子５９の出力信号との差は、中間転写ベルト１１上の発光素子５１による照射部分の残トナー濃度に応じた値を示すことになる。それゆえ、受光部５２の出力信号と受光素子５９の出力信号との組み合わせは、中間転写ベルト１１上の光照射領域の残トナー濃度を示した信号であるといえる。それゆえ、以下では、受光部５２の出力信号と受光素子５９の出力信号との組み合わせを、濃度検出ユニット５０から出力される残トナー濃度信号と称する。なお、残トナー濃度は単位面積当たりの残トナー量である。
【００５１】
つぎに、図１に示した定着ユニット１５の構成について図４および図５を用いて詳細に説明する。定着ユニット１５は、図４に示すように、レーザーヘッド（レーザー照射手段）１５ａと、用紙搬送装置（記録媒体搬送手段）１５ｂとを備えている。
【００５２】
本実施形態における定着ユニット１５は、用紙Ｐの表面に形成された未定着トナー像にレーザー光を照射し、このレーザー光のエネルギーによって前記未定着トナー像を溶融させて用紙Ｐに定着させるようになっている。
【００５３】
具体的には、図４に示すように、用紙搬送装置１５ｂ上のレーザー光が照射されるレーザー照射部１５ｃに、未定着トナー像Ｔ２を担持した用紙が用紙搬送装置１５ｂによって搬送され、レーザーヘッド１５ａから照射されるレーザー光によってトナーが溶融することで定着が行われ、定着されたトナー像Ｔ１の形成された用紙が出力されるようになっている。なお、本実施形態の画像形成装置１００では、定着速度が２２５ｍｍ／ｓｅｃであって印字速度が５０枚／分（Ａ４横送り）になるように、用紙搬送装置１５ｂにおける搬送速度が制御される。
【００５４】
未定着トナー画像は、例えば、非磁性トナーを含む非磁性１成分現像剤、非磁性トナーおよびキャリアを含む非磁性２成分現像剤、磁性トナーを含む磁性現像剤などの現像剤に含まれるトナーで形成される。そして、カラートナー（イエロー，マゼンタ，シアン）はモノクロトナーに比べてレーザー光の光吸収率が低いことから、赤外線吸収剤を添加することでモノクロトナーと同じ光吸収率を確保している。
【００５５】
カラートナーとしては、例えば、カラートナーのメインバインダーレジン１００重量部に対して、赤外線吸収剤であるフタロシアニンが１重量部から５重量部が内添されたものが用いられている。また、赤外線吸収剤として、フタロシアニン以外にポリメチン、シアニン、オニウム、ニッケル錯体等を用いることもできるし、併用することもできる。
【００５６】
用紙搬送装置１５ｂは、図４に示すように、搬送ベルト１５ｂ１、駆動ローラ１５ｂ２、従動ローラ１５ｂ３、吸着チャージャー１５ｂ４、分離チャージャー１５ｂ５、除電チャージャー１５ｂ６、分離爪１５ｂ７、駆動モータ（図示省略）を備えている。
【００５７】
搬送ベルト１５ｂ１は、ベルト厚が７５μｍであり、体積抵抗率が１×１０１６Ω・ｃｍのポリイミド樹脂からなり、駆動ローラ１５ｂ２と従動ローラ１５ｂ３とに架けられている。駆動ローラ１５ｂ２は、図示しない駆動モータにより、任意の速度で回転駆動するよう構成されている。すなわち、搬送ベルト１５ｂ１は、駆動ローラ１５ｂ２の回転により所定方向（Ｔ方向）に任意の速度で搬送される。また、吸着チャージャー１５ｂ４、分離チャージャー１５ｂ５、除電チャージャー１５ｂ６、分離爪１５ｂ７は、搬送ベルト１５ｂ１の周囲に配置されている。
【００５８】
このように構成された用紙搬送装置１５ｂにおいて、２次転写ユニット１４から搬送されてきた未定着トナー像が形成された用紙Ｐは、従動ローラ１５ｂ３上の搬送ベルト１５ｂ１と吸着チャージャー１５ｂ４の間に搬送される。
【００５９】
従動ローラ１５ｂ３は、導電性材料で構成されて接地されている。この従動ローラ１５ｂ３に対向する位置で、吸着チャージャー１５ｂ４によって用紙に電荷を与えることで、用紙Ｐと搬送ベルト１５ｂ１とが、それぞれ誘電分極を起こす。これにより、用紙Ｐは、搬送ベルト１５ｂ１上に静電吸着される。
【００６０】
用紙Ｐは、駆動ローラ１５ｂ２によって駆動する搬送ベルト１５ｂ１によって、レーザー光が照射されるレーザー照射部１５ｃに搬送される。レーザー照射部１５ｃにおいて、用紙Ｐ上の未定着トナー像は画像情報に応じてレーザーヘッド１５ａから照射されるレーザーにより溶融して用紙Ｐに定着する。
【００６１】
そして、レーザー照射部１５ｃにおいてトナー画像の定着を終了した用紙Ｐは、搬送ベルト１５ｂ１に静電吸着された状態で、分離チャージャー１５ｂ５と駆動ローラ１５ｂ２との間に搬送される。
【００６２】
駆動ローラ１５ｂ２は、導電性材料で構成され接地されている。分離チャージャー１５ｂ５によって用紙Ｐが除電されると、搬送ベルト１５ｂ１と用紙Ｐとの間の静電吸着力が弱まる。その状態で搬送ベルト１５ｂ１が、駆動ローラ１５ｂ２に沿って大きな曲率で回動することにより、用紙Ｐは、その先端部が搬送ベルト１５ｂ１から浮き上がり、さらに、分離爪１５ｂ７により完全に搬送ベルト１５ｂ１から分離される。用紙Ｐが剥離された搬送ベルト１５ｂ１は、除電チャージャー１５ｂ６により外面および内面が除電された後、再び用紙Ｐの吸着位置へ移動する。
【００６３】
つぎに、レーザーヘッド１５ａの構成について説明する。レーザーヘッド１５ａは、レーザー照射部１５ｃにおいて未定着トナー像にレーザー光を照射し、トナーを用紙に定着させるものである。
【００６４】
レーザーヘッド１５ａは、図４および図５に示すように、複数の半導体レーザー素子１５ａ１を主走査方向に一列状に配列した半導体レーザーアレイであり、フォトダイオード１５ａ２、シリコン基板１５ａ３、ヒートシンク部１５ａ９、温度センサ１５ａ１０を備えている。
【００６５】
具体的には、レーザーヘッド１５ａは、波長７８０（ｎｍ）で、１個の定格出力が１５０ｍＷの半導体レーザー素子１５ａ１を１，０００個配列したものである。各半導体レーザー素子１５ａ１の配列ピッチｋは、０．３ｍｍであり、レーザースポット径も０．３ｍｍとなる。
【００６６】
フォトダイオード１５ａ２は、モニター用の受光素子である。シリコン基板１５ａ３は、ワイヤーボンド線１５ａ４により表面電極１５ａ５に配線され、セラミック基板１５ａ６に取り付けられている。
【００６７】
ヒートシンク部１５ａ９は、べースサイズが３０ｍｍ×３０ｍｍ、高さが２０ｍｍ、熱抵抗１．６が℃／Ｗのアルミニウム合金製のヒートシンク（放熱板）を計１０個一列に並べたものである。ヒートシンク部１５ａ９のトータルの熱抵抗は０．１６℃／Ｗになる。なお、前記のヒートシンクは（株）アルファ社製のＵＢ３０−２０Ｂである。
【００６８】
さらに、レーザーヘッド１５ａの詳細構成について説明する。レーザーヘッド１５ａは、図４、図５に示すように、ヒートシンク部１５ａ９に取り付けられるセラミック基板１５ａ６を備えている。セラミック基板１５ａ６はシリコン基板１５ａ３を複数個備えている。
【００６９】
シリコン基板１５ａ３には、駆動用制御回路（図示せず）とフォトダイオード１５ａ２とがモノリシックに形成されている。また、シリコン基板１５ａ３には半導体レーザー素子（チップ）１５ａ１がマウント（具備）されており、シリコン基板１５ａ３と半導体レーザー素子１５ａ１との間が電気的に接続されている。また、セラミック基板１５ａ６の表面電極１５ａ５とシリコン基板１５ａ３の電極との間がワイヤーボンド線１５ａ４によって電気的に接続されている。なお、シリコン基板１５ａ３に形成されている駆動用制御回路は、後述する制御部から入力される制御信号によってレーザー光出力を変化させ、また、受光素子であるモニター用のフォトダイオード１５ａ２からの信号によりレーザー出力を略一定に保持するための回路である。
【００７０】
つぎに、本実施形態の定着ユニット１５におけるレーザー出力の制御手法を図６に基づいて説明する。図６は、本実施形態の画像形成装置１００に備えられており、定着ユニット１５におけるレーザー出力を制御するためのシステムを示すブロック図である。
【００７１】
図６に示すように、本実施形態の画像形成装置１００は、濃度検出ユニット５０、制御装置６０、レーザーヘッド１５ａを備えている。
【００７２】
濃度検出ユニット５０は、以上にて説明したように、中間転写ベルト１１上の光照射領域の転写残トナー濃度を示した残トナー濃度信号を出力するものである。
【００７３】
レーザーヘッド１５ａは、図４および図５に示されるように半導体レーザー素子１５ａ１を複数備えている。このレーザーヘッド１５ａの半導体レーザー素子１５（レーザー光源）ａ１は、制御装置６０によってオンとオフとが切り替えられるようになっている。また、半導体レーザー素子１５ａ１のレーザー光の強度（レーザー出力，光放射量，エネルギー放射量）は、制御装置６０によって調整されるようになっている。
【００７４】
制御装置６０は、レーザーヘッド１５ａの制御回路に対して制御信号を送信することによって、レーザーヘッド１５ａを制御する装置である。具体的には、制御装置６０は、印刷プロセスの実行中において、用紙が定着ユニット１５のレーザー照射部１５ｃを通過する期間にはレーザーヘッド１５ａの全ての半導体レーザー素子ａ１をオンにし、用紙が定着ユニット１５のレーザー照射部１５ｃを通過していない期間にはレーザーヘッド１５ａの全ての半導体レーザー素子ａ１をオフに制御する。
【００７５】
また、本実施形態の制御装置６０は、濃度検出ユニット５０から出力される残トナー濃度信号に基づき、レーザーヘッド１５ａから射出されるレーザー光の強度を調整するようになっている。
【００７６】
具体的には、残トナー濃度に対して所定の閾値を設定する。そして、制御装置６０は、濃度検出ユニット５０から出力される残トナー濃度信号に示される残トナー濃度が閾値以下の場合、レーザーヘッド１５ａの各半導体レーザー素子１５ａ１に対して通常電流値の駆動電流を流して、各半導体レーザー素子１５ａ１から通常強度（通常エネルギー量，通常出力）のレーザー光を出力させる。なお、全ての半導体レーザー素子１５ａ１に対して流される駆動電流の電流値（通常電流値）は略同一であり、全ての半導体レーザー素子１５ａ１は、互いに略同一強度（通常強度）のレーザー光を出力するようになっている。
【００７７】
そして、制御装置６０は、濃度検出ユニット５０から出力される残トナー濃度信号に示される残トナー濃度が閾値を超えた場合、レーザーヘッド１５ａの各半導体レーザー素子１５ａ１に対して、通常電流値よりも高い高電流値の駆動電流を流して、各半導体レーザー素子１５ａ１から通常強度よりも高い高強度（高エネルギー量，高出力）のレーザー光を出力させるようになっている。なお、この場合であっても、全ての半導体レーザー素子１５ａ１に対して流される駆動電流の電流値（高電流値）は略同一であり、全ての半導体レーザー素子１５ａ１は、互いに略同一強度（高強度）のレーザー光を出力するようになっている。
【００７８】
つまり、制御装置６０は、残トナー濃度が閾値未満であると濃度検出ユニット５０によって計測された部分（中間転写ベルト１１の部分）に対応する用紙の一部領域がレーザー照射部１５ｃを通過する期間において、レーザーヘッド１５ａの全ての半導体レーザー素子１５ａ１から通常強度のレーザー光を出力させる。これに対し、制御装置６０は、残トナー濃度が閾値を超えていると濃度検出ユニット５０に計測された部分（中間転写ベルト１１の部分）に対応する用紙の一部領域がレーザー照射部１５ｃを通過する期間において、レーザーヘッド１５ａの全ての半導体レーザー素子１５ａ１から高強度のレーザー光を出力させるようになっている。すなわち、残トナー濃度が閾値を超えていると濃度検出ユニット５０に計測された部分（中間転写ベルト１１の部分）に対応する用紙の一部領域がレーザー照射部１５ｃを通過する期間は、それ以外の期間よりも、各半導体レーザー素子１５ａ１のレーザー光のエネルギー放射量（出力エネルギー）を増加させているのである。
【００７９】
以上にて示したように、本実施形態の画像形成装置１００は、トナー像を表面に担持する中間転写ベルト（像担持体）１１と、前記トナー像が転写された用紙に対して光を照射するレーザーヘッド（照射部）１５ａを有しており前記光のエネルギーによって前記トナー像を溶融して前記用紙に定着させる定着ユニット１５と、レーザーヘッド１５ａを制御する制御装置（制御部）６０と、中間転写ベルト１１の表面から前記トナー像が転写された後に当該表面に残存するトナーの濃度（残トナー濃度）を検出する濃度検出ユニット（残トナー濃度検出部）５０とを備えている。そして、制御装置６０は、濃度検出ユニット５０にて検出された濃度に応じて、レーザーヘッド１５ａに照射させる光の強度を調整するようになっている。より具体的には、制御装置６０は、濃度検出ユニット５０にて検出された濃度が閾値を超える場合には、前記濃度が閾値以下である場合よりも、レーザーヘッド１５ａから照射される光の強度が高くなるようにレーザーヘッド１５ａを制御する構成になっている。
【００８０】
以上の構成において、濃度検出ユニット５０にて検出される残トナー濃度と用紙上に形成される孤立ドットの数とは正の相関関係にある。つまり、転写残トナーの濃度が高くなれば孤立ドットが多くなり、転写残トナーの濃度が低くなれば孤立ドットが少なくなる。これは、孤立ドットの多いトナー像が中間転写ベルト１１から用紙へ転写される場合、孤立ドットに対する電界の回りこみに起因し、孤立ドットの周辺において転写せずに中間転写ベルト１１に残存するトナーが多くなる傾向にあるためである。
【００８１】
そして、以上の構成では、残トナー濃度が高くなればレーザーヘッド１５ａから照射される光の強度が高くなるようにしているため、孤立ドットの多い部分に光を照射する場合には当該光の強度を高くすることになる。それゆえ、孤立ドットの多い画像を処理する場合に定着性が劣化することを抑制できるという効果を奏する。
【００８２】
なお、以上にて示した通常電流値、高電流値、通常強度（通常エネルギー量，通常出力）、高強度（高エネルギー量，高出力）、閾値は、定着ユニット１５のスペック、画像形成装置１００に用いられる純正トナーの材質等を考慮した上で装置設計者に適宜設定される値であり、具体的な値に限定されるものではない。
【００８３】
[第２実施形態]
第１実施形態では、図３に示されるように、濃度検出ユニット５０の位置は、転写可能範囲のうち主走査方向（Ａ方向に平行な方向）の中央部に対向する位置に固定されているため、転写可能範囲（画像の範囲）のうちの主走査方向（Ａ方向）の中央部のみが残トナー濃度の測定対象となっていた。これに対し、本発明の第２実施形態では、濃度検出ユニット５０を主走査方向に沿って往復移動可能とし、入力画像を解析して最適な測定位置を検出し、この測定位置に濃度検出ユニット５０を移動させた上で残トナー濃度を測定するようになっている。
【００８４】
以下、本発明の第２実施形態を詳細に説明する。なお、説明の便宜上、第１実施形態で用いた部材と同様の機能を有する部材には同じ符号を付して説明を省略する。
【００８５】
本実施形態において、定着ユニット１５のレーザー出力を制御するためのシステムは、図６ではなく図７のようになっている。第２実施形態の画像形成装置１００は、図７に示されるように、画像処理部９０、制御装置６０ａ、モータ９５、濃度検出ユニット５０、レーザーヘッド１５ａを備えている。
【００８６】
画像処理部９０は、印刷される用紙１枚分の画像毎に、濃度検出ユニット５０による測定位置を決定する処理を行うブロックである。以下、画像処理部９０による処理の詳細を説明する。
【００８７】
画像処理部９０は、入力画像（用紙１枚分の印刷画像）の画像データをメモリから読み出し、図８に示されるように、副走査方向（主走査方向に垂直な方向）に平行な分割線（図８の破線）によって入力画像を複数の画像領域に分割する。また、画像処理部９０は、複数の画像領域の各々の主走査方向の幅が均一になるように分割を行うようになっている。なお、図８の例では、入力画像が、５つの画像領域Ｒ１〜Ｒ５に分割されていることになるが、分割される画像領域の数は５つに限定されるものではない。
【００８８】
つぎに、画像処理部９０は、前記画像データに基づいて、画像領域Ｒ１〜Ｒ５の各々について、下記に示す印字率と孤立割合とを求める。
【００８９】
印字率とは、単位面積に対する印字（画像）部分の面積の割合を示したものである。例えば、ソリッド画像（ベタ画像）の印字率は１００％になる。また、ハーフトーン画像の場合、１ｂｙ１のパターンでは５０％になり、１ｂｙ２のパターンでは３３％になり、１ｂｙ３のパターンでは２５％となる。
【００９０】
孤立割合とは、ドットの合計数に対する、上下左右方向に他のドットが隣接していない孤立ドットの数の割合を示したものである。ここで、ドットとは画像の最小単位のピクセルを意味するものである。上下左右方向に他のドットが隣接していない孤立ドットとは、図９（ａ）に示されるようなパターン上のドットを意味する。
【００９１】
図９（ａ）に示されるパターンと図９（ｂ）に示されるパターンとはいずれも印字率が５０％で同一であるが、図９（ａ）に示されるパターンの方が図（ｂ）に示されるパターンよりも孤立割合が高くなっている。
【００９２】
画像処理部９０は、画像領域Ｒ１〜Ｒ５の各々について前記印字率と前記孤立割合とを求めた後、求めた印字率と孤立割合とに基づいて、画像領域Ｒ１〜Ｒ５のうちのいずれかを測定位置として決定するようになっている。決定手法を以下説明する。
印刷画像において、高孤立割合且つ高印字率になっている部分は、画像の細り具合の程度が高くなっており、非接触定着方式による定着性が低くなっている可能性が高い（画像の細り具合とは、適切なドットサイズよりも小さな孤立ドットの多さの程度を意味する（転写残トナーが多くなるとドットが小さくなる））。
したがって、このような部分の残トナー濃度に応じてレーザー光の強度（出力）を調整することが好ましい。そこで、本実施形態では、高孤立割合且つ高印字率になっている部分を前記の測定位置として決定するようになっている。
具体的には、印字率を第１スコアに変換するための第１テーブルと、孤立割合を第２スコアに変換するための第２テーブルとを記憶部（不図示）に予め保存させておく。つまり、第１テーブルは、印字率と第１スコアとの対応関係を定めたテーブルであり、印字率が高いほど対応付けられている第１スコアも大きくなる。第２テーブルは、孤立割合と第２スコアとの対応関係を定めたテーブルであり、孤立割合が高いほど対応付けられている第２スコアも大きくなる。
画像処理部９０は、第１テーブルおよび第２テーブルを参照して、画像領域Ｒ１〜Ｒ５の各々について、第１スコアおよび第２スコアを求め、且つ、第１スコアと第２スコアとの合計値を算出する。
そして、画像処理部９０は、画像領域Ｒ１〜Ｒ５のうち、第１スコアと第２スコアとの合計値が最も大きな画像領域を特定し、特定した画像領域を測定位置として決定する。これにより、画像領域Ｒ１〜Ｒ５のうち、ドットの細り具合の程度が最も高いと予想される領域を測定位置とすることが可能になる。画像処理部９０は、測定位置として決定した画像領域の位置を特定する位置情報を制御装置６０ａに伝達する。
【００９３】
モータ９５は、濃度検出ユニット５０を移動させるための駆動装置である。つまり、濃度検出ユニット５０は、モータ９５の駆動力によって主走査方向に往復移動するようになっている。
【００９４】
制御装置６０ａは、画像処理部９０から位置情報を入力すると、モータ９５を駆動することにより、入力した位置情報に示される画像領域に対向する位置に濃度検出ユニット５０を移動させ、濃度検出ユニット５０に濃度測定を行わせるようになっている。これにより、濃度検出ユニット５０は、画像処理部９０に測定位置として決定された画像領域の残トナー濃度を示す残トナー濃度信号を出力するようになっている。例えば、画像処理部９０に測定位置として決定された画像領域が図８のＲ５である場合、濃度検出ユニット５０は、図３の参照符ａに示される位置に対向する場所まで移動して濃度測定を行い、参照符ａに示される位置の残トナー濃度を示す残トナー濃度信号を出力するようになっている。また、画像処理部９０に測定位置として決定された画像領域が図８のＲ１である場合、濃度検出ユニット５０は、図３の参照符ｂに示される位置に対向する場所まで移動して濃度測定を行い、参照符ｂに示される位置の残トナー濃度を示す残トナー濃度信号を出力するようになっている。
【００９５】
そして、制御装置６０ａは、前記入力画像が印刷される用紙が定着ユニット１５のレーザー照射部１５ｃを通過する期間にレーザーヘッド１５ａの全ての半導体レーザー素子ａ１をオンにし、用紙が定着ユニット１５のレーザー照射部１５ｃを通過し終えるとレーザーヘッド１５ａの全ての半導体レーザー素子ａ１をオフに制する。
【００９６】
さらに、制御装置６０ａは、画像処理部９０に特定された画像領域以外の画像領域については、各半導体レーザー素子１５ａ１のレーザー光の強度を一律に通常強度に設定するが、画像処理部９０に特定された画像領域については、前記の孤立割合および残トナー濃度に応じてレーザーヘッド１５ａから射出されるレーザー光の強度を調整する。
【００９７】
具体的には、制御装置６０は、レーザーヘッド１５ａの全ての半導体レーザー素子１５ａ１のうち、画像処理部９０に特定された画像領域以外の画像領域を照射する半導体レーザー素子１５ａ１に対して通常電流値の駆動電流を流して、各半導体レーザー素子１５ａ１から通常強度（通常エネルギー量，通常出力）のレーザー光を出力させるようになっている。
【００９８】
また、制御装置６０は、画像処理部９０に特定された画像領域について、レーザー光の強度を以下のようにして調整している。
まず、画像形成装置１００には、転写残トナー濃度および孤立割合の組み合わせを、レーザー光の強度に変換するためのレーザー出力テーブルが予め保存されている。つまり、レーザー出力テーブルは、転写残トナー濃度および孤立割合の組み合わせと、レーザー光の強度との対応関係を定めたテーブルである。なお、孤立割合が一定である場合において転写残トナー濃度が高くなればレーザー光の強度も高くなり、転写残トナー濃度が一定である場合において孤立割合が高くなればレーザー光の強度も高くなる。また、レーザー出力テーブルに示されている各レーザー光の強度は前記の通常強度以上になっている。
そして、制御装置６０は、画像処理部９０に特定された画像領域について、当該画像領域の孤立割合および転写残トナー濃度に対応するレーザー光の強度をレーザー出力テーブルから読み出し、読み出した強度を、画像処理部９０に特定された画像領域に対して照射するレーザー光の強度として決定する。制御装置６０は、画像処理部９０に特定された画像領域を照射する各半導体レーザー素子１５ａ１に対して、決定した強度に応じた電流値の駆動電流を流して、これら半導体レーザー素子１５ａ１から当該強度のレーザー光を出力させるようになっている。
【００９９】
以上にて示したように、本実施形態の画像形成装置１００は、入力画像を示す画像データを参照して、前記画像における孤立ドットの多さを示す孤立割合（孤立ドット情報）を出力する画像処理部９０を備えており、制御装置６０ａは、濃度検出ユニット５０にて検出された残トナー濃度と画像処理部９０にて出力された孤立割合とに応じて、レーザーヘッド１５ａに照射させる光の強度を調整するようになっている。すなわち、残トナー濃度のみならず、入力画像データから解析した孤立ドットの多さを示す情報に基づいてレーザー光の強度を調整しているため、前記レーザー光の強度を、孤立ドットの多さに適した強度により近づけることができる。
【０１００】
また、本実施形態によれば、濃度検出ユニット５０を移動させて、入力画像の中で定着性の低下が際立つ可能性の高い部分のみに着目し、この部分の転写残トナー濃度および孤立割合に応じてレーザー光の強度を調整している。それゆえ、入力画像の中で定着性の低下が際立つ可能性の高い部分が無視されてレーザー光の強度が定められるという懸念もない。
【０１０１】
換言すると、本実施形態では、孤立ドットを判定するために原稿の入力画像データを判定する方法を取っている。そして、入力画像データから得られる印字率（画像濃度）および孤立割合からレーザー出力を調整する位置を決定し、前記孤立割合および残トナー濃度に応じてレーザー出力を調整している。これにより、環境変動、計時劣化、トナー帯電量変化などによって転写効率が変化することによって、用紙上の画像（ドット）が細り、記録紙とトナーとの接触面積が小さくなっても、孤立ドットの定着性が弱くなるという問題を回避できる。
【０１０２】
[第３実施形態]
つぎに、本発明の第３実施形態を説明する。第３の実施形態は、レーザーヘッド１５ａの半導体レーザー素子ａ１のオンとオフとの切り替えタイミングが第２の実施形態と異なるが、他の点については第２の実施形態と同一である。以下では第２の実施形態と異なる点のみ説明する。
【０１０３】
第２実施形態の制御装置６０ａは、用紙が定着ユニット１５のレーザー照射部１５ｃを通過している期間中はレーザーヘッド１５ａの全ての半導体レーザー素子ａ１をオンにし、用紙が定着ユニット１５のレーザー照射部１５ｃを通過していない期間中はレーザーヘッド１５ａの全ての半導体レーザー素子ａ１をオフに制御するようになっている。
【０１０４】
これに対し、本実施形態の制御装置６０ａは、用紙が定着ユニット１５のレーザー照射部１５ｃを通過している期間中において常に全ての半導体レーザー素子ａ１をオンにするのではなく、用紙上のトナー像がレーザー照射部１５ｃを通過している期間において当該トナー像にレーザー光を照射する位置にある半導体レーザー素子ａ１のみをオンにし、それ以外の半導体レーザー素子ａ１をオフに制御する。また、制御装置６０ａは、用紙上のトナー像がレーザー照射部１５ｃを通過していない間は全ての半導体レーザー素子ａ１をオフにしている。つまり、制御装置６０ａは、入力画像の画像データを参照して、トナー像の形成位置を検出し、検出結果に基づいて、用紙上のトナー像が照射範囲に入っている半導体レーザー素子ａ１のみを選択してオンにし、それ以外の半導体レーザー素子ａ１についてはオフにしている。
【０１０５】
これにより、入力画像において、ベタ画像領域のみならず、ドット画像領域、文字画像領域、余白領域等が混在している場合、レーザー照射が必要な領域に選択的にレーザー光の照射が行われ、且つ、レーザー照射が不必要な領域の一部についてはレーザー照射を行わないようにできるため、消費電力の削減を行うことができるというメリットを有する。
【０１０６】
[変形例]
以上示した各実施形態において、濃度検出ユニット５０は、中間転写ベルト（像担持体）１１の表面に対向する位置に配置されており、中間転写ベルト１１の表面からの反射光に基づいて中間転写ベルト１１の表面の残トナー濃度を示す残トナー濃度信号を出力し、制御装置６０・６０ａは当該残トナー濃度信号に基づいてレーザーヘッド１５ａの制御を行うようになっていた。しかし、レーザーヘッド１５ａの制御に用いられる残トナー濃度信号は、中間転写ベルト１１の表面の残トナー濃度を示す信号に限られるものではなく、感光体ドラム（像担持体）１０１ａの表面の残トナー濃度を示す信号であってもよい。この場合、濃度検出ユニット５０は、感光体ドラム１０１ａの表面に対向する位置であり、且つ、１次転写ユニット１３ａとクリーニングユニット１０４ａとの間の位置に配置される（図１の参照符Ｇの位置）。参照符Ｇに位置する濃度検出ユニット５０は、１次転写ユニット１３ａによって感光体ドラム１０１ａの表面から中間転写ベルト１１へトナー像が転写された後であり、且つ、クリーニングユニット１０４ａにて残トナーが回収される前の感光体ドラム１０１ａの表面を濃度測定範囲として、この濃度測定範囲の残トナー濃度を示す残トナー濃度信号を出力して制御装置６０・６０ａに伝達するようになっている。制御装置６０・６０ａは、伝達された残トナー濃度信号に応じてレーザーヘッド１５ａを制御する。
【０１０７】
また、以上示した各実施形態の画像形成装置１００は、感光体ドラムから中間転写ベルトへトナー像を転写して中間転写ベルト１１から用紙へトナー像を転写する中間転写方式であったが、勿論、感光体ドラムから用紙へトナー像を転写する直接転写方式の画像形成装置にも本発明を適用することは可能である。但し、直接転写方式の場合、感光体ドラムの表面の残トナー濃度に応じてレーザーヘッド１５ａを制御することになる。
【０１０８】
また、以上示した各実施形態のレーザーヘッド１５ａは、半導体レーザー素子１５ａ１から射出されるレーザー光を、集光光学系を介さずに用紙へ照射する形態である。しかし、レーザーヘッド１５ａは、当該構成に限定されるものではなく、半導体レーザー素子１５ａ１と用紙との間に凸レンズ等の集光光学系を有するレンズホルダを備え、前記集光光学系によって用紙へレーザー光を集光するような形態になっていてもよい。
【０１０９】
また、以上示した定着ユニット１５は、レーザー光を用紙上のトナー像に照射するレーザー定着方式であった。しかし、第１実施形態に関しては、定着ユニット１５は、レーザー定着方式に限られるものではなく、フラッシュ光を用紙上のトナー像に照射するフラッシュ定着方式であってもよい。
【０１１０】
また、第２実施形態において、画像処理部９０は、図８に示されるように、副走査方向（主走査方向に垂直な方向）に平行な分割線（図８の破線）によって入力画像を複数の画像領域に分割するようになっているが、このような分割の手法に限られるものではない。例えば、画像処理部９０は、副走査方向に平行な分割線と主走査方向に平行な分割線とによって入力画像をｍ×ｎ個の画像領域に分割するようになっていてもよい（ｍは副走査方向の分割線数であり、ｎは主走査方向の分割線数である）。
【０１１１】
また、以上示した各実施形態の制御装置６０、６０ａの機能は、ＣＰＵ等のプロセッサを用いてソフトウェアによって実現してもよい。この場合、本実施形態の制御装置６０、６０ａは、制御装置６０、６０ａの機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである制御プログラムのプログラムコード（実行形式プログラム、中間コードプログラム、ソースプログラム）をコンピュータで読み取り可能に記録した記録媒体を、画像形成装置１００の制御装置６０、６０ａに供給し、そのコンピュータ（またはＣＰＵやＭＰＵ）が記録媒体に記録されているプログラムコードを読み出し実行することによって達成される。
【０１１２】
また、前記の記録媒体としては、マイクロコンピュータで処理が行われるために、図示していないメモリ、例えばＲＯＭのようなものそのものがプログラムメディアであってもよいし、また、図示していないが外部記憶装置としてプログラム読み取り装置が設けられ、そこに記録媒体を挿入することで読み取り可能なプログラムメディアであっても良い。いずれの場合においても、格納されているプログラムはマイクロプロセッサがアクセスして実行させる構成であっても良いし、あるいは、いずれの場合もプログラムコードを読み出し、読み出されたプログラムコードは、マイクロコンピュータの図示されていないプログラム記憶エリアにダウンロードされて、そのプログラムが実行される方式であってもよい。このダウンロード用のプログラムは予め本体装置に格納されているものとする。
【０１１３】
また、前記のプログラムコードを記録した記録媒体を持ち運び自在に提供することができる。当該記録媒体は、本体と分離可能に構成される記録媒体であり、磁気テープやカセットテープ等のテープ系、フレキシブルディスクやハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリを含めた固定的にプログラムコードを担持する媒体であっても良い。
【０１１４】
また、本実施の形態の画像形成装置１００がインターネットを含む通信ネットワークを接続可能なシステム構成であることから、通信ネットワークからプログラムコードをダウンロードするように流動的にプログラムコードを担持する媒体であっても良い。なお、このように通信ネットワークからプログラムをダウンロードする場合には、そのダウンロード用のプログラムは予め本体装置に格納しておくか、あるいは別な記録媒体からインストールされるものであっても良い。
【０１１５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１１６】
本発明は、非接触方式の定着装置（定着ユニット）を備えている画像形成装置に利用できる。
【符号の説明】
【０１１７】
１１    中間転写ベルト（像担持体）
１５    定着ユニット
１５ａ    レーザーヘッド（照射部）
１５ａ１  半導体レーザー素子（レーザー光源）
５０      濃度検出ユニット（トナー濃度検出部）
６０      制御装置（制御部）
６０ａ      制御装置（制御部）
９０      画像処理部
１００      画像形成装置
１０１ａ    感光体ドラム（像担持体）
【図１】
2013156303.tif 000003
【図２】
2013156303.tif 000004
【図３】
2013156303.tif 000005
【図４】
2013156303.tif 000006
【図５】
2013156303.tif 000007
【図６】
2013156303.tif 000008
【図７】
2013156303.tif 000009
【図８】
2013156303.tif 000010
【図９】
2013156303.tif 000011